(57)【要約】【課題】浄水器に設けた磁場活性装置の磁鉄鉱と磁石を容器より取出し、磁鉄鉱の洗浄を容易にして磁場活性装置内の清潔さを維持できて、水の嫌な臭い成分を吸着脱臭し、水本来の美味しい安全な飲料水を生成する磁場活性装置を提供する。【解決手段】浄水器管体の両端に水の流入口と流出口を形成した、該浄水器装置の濾過部と浄水部をカートリッジ容器に納め、磁場活性装置なる磁鉄鉱と磁石を容器に納め、濾材の交換時に濾材が混ざり合わない構成として、浄水器管体に納める各々容器の連結と固定の構成が容易に着脱できて、メンテナンスが容易にできることを特徴とした磁場活性装置の構成方法とする。【選択図】  図１
2008093537.tif 000002
【特許請求の範囲】
【請求項１】
二分割とした浄水器管体の両端に水の流入口と流出口を形成し、該管体の内部に構成したカートリッジと磁場活性装置両容器の水流路部を用いて互を連結し、該連結したカートリッジと磁場活性装置両容器端部に形成の流路部を用いて、管体の流入口と流出口に嵌め合い固定とし、管体に納めたカートリッジと磁場活性装置の各々に流路構成を形成し、磁場活性装置を他の濾過材と分離して納めたことを特徴とした磁場活性装置の構成方法。
【請求項２】
磁場活性装置の中心を軸に複数の板状磁石を放射線形状に配列し、該磁石の互の平面を磁極面異極に形成し、磁石の隙間に磁鉄鉱粒状を用いて均等な磁束密度を形成し、流水が激突分細され順次磁場に触れながら流水することを特徴とした磁場活性装置。
【発明の詳細な説明】
【技術分野】
【０００１】
浄水器に内蔵した磁石と磁鉄鋼を用いて磁場を強力に発し、水質を改質する磁場活性装置に関する。
【背景技術】
【０００２】
従来、浄水器に磁石を用いて劣化した水を通過させ水の分子構造を整え飲料水の改質を行う装置が知られている。
【０００３】
この種の浄水器は、本体である筒状管体に詰めた磁鉄鉱に磁石を埋設して磁場層を形成し、浄化の濾過材と活性濾過材とを上面に詰め形成している。
【０００４】
磁石を磁鉄鋼石と濾材に埋設して使用する方法は公知である。
【特許文献１】登録実用新案第３００３２７５号公報
【特許文献２】登録実用新案第３０３９５３５号公報
【特許文献３】実開平５−６７３８７
【発明の開示】
【発明が解決しようとする課題】
【０００５】
本発明が解決しようとする課題は、浄水器の筒状管体に直接詰めた活性部なる濾材または磁鉄鉱に磁石を不織布のみで層を区切って埋設していた、そのために濾材の交換が容易にできず、他の濾材が混ざり合い磁場活性部の取出しに手間が掛かるものであった、従って、該活性部なるメンテナンスは逆流洗浄する他は無く、メンテナンスは浄化部である濾材のみ交換がされ、結果的には活性部は逆流洗浄に頼り切っているものであった。
【０００６】
浄水器装置の活性部といえ年数が経過するごとに逆流洗浄だけでは済まされない問題が生じる、例えば、水の嫌な臭や水の美味しい味が変わるものであった。
【０００７】
何故ならば、浄水器装置使用の一年経過した活性部なるセラミックや磁鉄鉱を取出して、米とぎ洗浄方法で洗浄すれば濾材の粒状一つ一つが如何に汚れているかが分かる。
【０００８】
従って、水道水は浄水器装置内の第一濾過部である不織布の表面に水垢が付着し、次に濾材の奥に水垢が浸透して濾材に付着するが、その付着した濾材を揺すりながら洗浄しない限り逆流洗浄だけでは水垢等を排除することは無理で、逆流洗浄効果は浅い所の浸透物質の排除には発揮するが、濾材の深くに浸透した物質は逆流洗浄で取除くことは不可能であり、水の改質が低下するという問題があった。
【０００９】
本発明の構成は、浄水器の濾材交換メンテナンスが容易にできるカートリッジと磁場活性装置を、筒状管体より容易に着脱できて、尚、該容器の分解が容易にできて磁鉄鉱の取出しと洗浄を解決した磁場活性装置を提供する。
【課題を解決するための手段】
【００１０】
本発明は、上記目的を達成するために二分割とした浄水器管体の両端に水の流入口と流出口を形成し、該管体の内部に構成したカートリッジと磁場活性装置両容器の水流路部を用いて互を連結し、該連結したカートリッジと磁場活性装置両容器端部に形成の流路部を用いて、管体の流入口と流出口に嵌め合い固定とし、管体に納めたカートリッジと磁場活性装置の各々に流路構成を形成し、磁場活性装置を他の濾過材と分離して納めたことを特徴とした磁場活性装置の構成方法。
【００１１】
磁場活性装置の中心を軸に複数の板状磁石を放射線形状に配列し、該磁石の互の平面を磁極面異極に形成し、磁石の隙間に磁鉄鉱粒状を用いて均等な磁束密度を形成し、流水が激突分細され順次磁場に触れながら流水することを特徴とした磁場活性装置。
【発明の効果】
【００１２】
本発明の浄水器は、管体に直接濾材を詰めていたが、濾過部と活性部と浄化部とをカートリッジに納め、磁石と磁鉄鉱を納めた磁場活性装置は各々、カートリッジ、磁場活性装置、と完全に分離した構成で濾材交換メンテナンスが容易であり、廃棄処分とするカートリッジは活性部の取外しが容易にできて環境にも配慮したカートリッジである。
【００１３】
磁石の互の平面を磁極面異極に形成した隙間に磁鉄鉱粒状を用いて均等な磁束密度を形成し、流水が激突分細され順次磁場に触れることによって水垢等を磁鉄鉱粒状に付着しながら排除し、都会に住みながら山深の清水を味わえ、料理は美味しく、洗顔や入浴に塩素の害はなく、トイレの臭いも無くなり、配管内部の赤錆発生を防止する等の効果を発揮する。
【００１４】
磁場活性装置は容易に分解できて、磁石と磁鉄鉱は取出せて洗浄することができ、何時でも新鮮な磁石と磁鉄鉱とで水の嫌な臭い成分を吸着脱臭し、水本来の美味しい安全な飲料水を取水することができる。
【実施例１】
【００１５】
浄水器管体１の流入口２に既設の水道管をユニオンによって接続し、一方屋内配管を管体の流出口３と接続し屋内全部の水栓より取水ができる浄水器である。
【００１６】
図１は本発明の実施例で二分割とした浄水器管体１の両端に水の流入口２と流出口４を形成し、図２、図３は、濾過部８と浄化部９なる濾材を詰めたカートリッジ５と磁石１４と磁鉄鉱１５を詰めた磁場活性装置１０容器の水流路部１１にOリングを用いて互を嵌め合いA連結し、該連結したカートリッジ５と磁場活性装置１０の両端部に形成の流路部を用いて、管体流入口２側の内部に設けた流入管３とカートリッジ容器の底部に形成の凸７を嵌め合いB管体とカートリッジの固定として、一方を管体内部の流出口４側に磁場活性装置容器の流出管１２にOリングを用いて嵌め合いC固定として、カートリッジと磁場活性装置を管体に固定したものである。
【００１７】
カートリッジと磁場活性装置の着脱は、二分割した管体の合体にクランプ方式を用いて管体形状を保持し、クランプを緩めることでカートリッジと磁場活性装置の着脱作業が自在に行える。
【００１８】
図４は、磁場活性装置の容器で、図５は、該容器の中心を軸に複数の板状磁石１４を扇形状に配列し、該磁石の互の平面を磁極面異極に形成し、磁石の端が扇形状に開いた広幅部分に磁鉄鉱１５を用いて均等な磁束密度１７を形成し、該磁鉄鉱１５の粒状に流水が激しく激突し分細され順次磁場に触れながら水分子の磁化処理がなされる磁場活性装置である。
【００１９】
磁場活性装置１０は容器と蓋部１３のフランジで二分割されパッキングを挟み螺子を用いて、内部に形成した磁石１４と磁鉄鉱１５の詰る取出しを自在に行え、濾材交換メンテナンス時に他の濾材と混ざり合うことが無く、容易に清潔に濾材交換メンテナンスができる構造構成とした磁場活性装置である。
【００２０】
又、図１を用いて浄水器管体の水流路を説明する、浄水器管体１の流入口より入水し管体内部とカートリッジ５外部との隙間を流水し、カートリッジ上面蓋の浸透孔より入水し、濾過部８を流水し、カートリッジ容器内部に納めた円筒形状した浄化部９と、その容器との隙間を流水し浄化部の円筒外面より原水の水圧を用いて浄化しながら中心の空洞パイプ７へ流水し、空洞パイプと連結された磁場活性装置の内部に詰めた磁鉄鉱で均等な磁束密度を形成し、該磁鉄鉱の粒状に流水が激しく激突分細され順次磁場に触れながら通過することで、水の嫌な臭い成分を吸着脱臭し、屋内全部の水栓より水本来の美味しい安全な飲料水を取水することができる磁場活性装置である。
【図面の簡単な説明】
【００２１】
【図１】実施例１の管体に構成したカートリッジと磁場活性装置を示す縦断面図である。
【図２】図１のカートリッジと磁場活性装置の管体固定を示す説明拡大面図である。
【図３】カートリッジと磁場活性装置の連結を示す説明拡大面図である。
【図４】実施例１での磁場活性装置を示す縦断面図である。
【図５】図４のY―Y断面図である。
【符号の説明】
【００２２】
１    浄水器管体
２    管体の流入口
３    流入管
４    管体の流出口
５    カートリッジ
６    カートリッジ容器の底部の凸
７    空洞パイプ
８    濾過部
９    浄化部
１０  磁場活性装置
１１  容器の水流路部
１２  装置容器の流出管
１３  磁場活性装置の蓋部
１４  磁石
１５  磁鉄鉱
１６  磁石を扇形状に配列した形状えを示す
１７  磁束密度
１８  クランプ
A部  嵌め合い連結説明部
B部  嵌め合い固定説明部
C部  嵌め合い固定説明部
【図１】
2008093537.tif 000003
【図２】
2008093537.tif 000004
【図３】
2008093537.tif 000005
【図４】
2008093537.tif 000006
【図５】
2008093537.tif 000007